(57)【要約】【課題】複数の表示パネルを配列して構成する画像表示装置において、継目が目立たずに、高精細で高い開口率の画像表示装置を提供することを目的とする。【解決手段】少なくとも第１の表示パネル１０１ａと第２の表示パネル１０１ｂとを配列して画像を表示する画像表示装置１００において、第１の表示パネル１０１ａと第２の表示パネル１０１ｂには、画素ピッチＰで画素Ｐｘが形成されており、第１の表示パネル１０１ａと第２の表示パネル１０１ｂとを接合するための接合パネル１０２を有し、当該接合パネル１０２には、第１の表示パネル１０１ａと第２の表示パネル１０１ｂとの継目領域１１２Ｘに、各行毎に所定数の画素が形成されている。【選択図】      図３
2005031247.tif 000002
【特許請求の範囲】
【請求項１】
所定の間隔で複数の画素がそれぞれ形成されている、少なくとも第１の表示パネルと第２の表示パネルとを配列して画像を表示する画像表示装置において、
前記第１の表示パネルと前記第２の表示パネルとを接合するための接合パネルを有し、
前記接合パネルは、前記第１の表示パネルと前記第２の表示パネルとの継目領域に、各行または各列毎に所定数の画素が形成されていることを特徴とする画像表示装置。
【請求項２】
前記接合パネルに形成される画素は、前記第１の表示パネルの前記画素と前記第２の表示パネルの前記画素とに対して、前記所定の間隔の位置に形成されることを特徴とする請求項１に記載の画像表示装置。
【請求項３】
前記接合パネルは、前記継目領域を挟む位置に形成された第１および第２の接合領域を有し、
前記第１の接合領域には、前記第１の表示パネルの下表面が接合され、前記第２の接合領域には、前記第２の表示パネルの下表面が接合されることを特徴とする請求項１または２に記載の画像表示装置。
【請求項４】
前記接合パネルはその平面が長方形状を呈し、当該長方形状の接合パネルには、前記第１の表示パネルと前記第２の表示パネルとが１次元方向に接合されることを特徴とする請求項１〜請求項３のいずれか１つに記載の画像表示装置。
【請求項５】
少なくとも４枚の表示パネルを有し、前記接合パネルは、その平面が長方形状を呈する少なくとも第１および第２の接合パネルからなり、
前記少なくとも４枚の表示パネルは、前記第１および第２の接合パネルに２次元方向に上下方向から接合されることを特徴とする請求項１〜請求項３のいずれか１つに記載の画像表示装置。
【請求項６】
少なくとも４枚の表示パネルを有し、前記接合パネルは、その平面が十字形状を呈し、前記少なくとも４枚の表示パネルは、当該十字形状の接合パネルに２次元方向に接合されることを特徴とする請求項１〜請求項３のいずれか１つに記載の画像表示装置。
【請求項７】
前記第１の表示パネルと前記第２の表示パネルとは、それぞれ有機または無機のエレクトロルミネッセンスパネルであることを特徴とする請求項１〜請求項６のいずれか１つに記載の画像表示装置。
【請求項８】
前記第１の表示パネルと前記第２の表示パネルとは、それぞれ液晶表示パネルであり、
前記液晶表示パネルへ照明光を供給する光源を有することを特徴とする請求項１〜請求項６のいずれか１つに記載の画像表示装置。
【発明の詳細な説明】
【０００１】
【発明の属する技術分野】
本発明は、画像表示装置、特に複数の画像表示パネルを接合して大画面を得る画像表示装置に関する。
【０００２】
【従来の技術】
画像表示装置として、例えば、液晶表示パネルや、有機または無機のエレクトロルミネッセンス（以下、「ＥＬ」という。）などの平面表示パネルが知られている。そして、近年、大画面な画像表示装置に対するニーズが増加している。ここで、液晶表示パネルでは、その生産性、開口率、表示の均一性などの点から大画面で高精細な単一のパネルを製造することは困難である。また、ＥＬ表示パネルでは、機械的な強度の点、及び電極の抵抗の増大に伴って駆動電圧を高める必要がある点等から、大画面の単一のパネルを製造することは困難である。このため、ユニット化された表示パネルを、タイル状に複数配列することが大画面化の有力な方法となる。複数の表示パネルを配列して一つの大画面の画像表示装置を構成する方法がいくつか提案されている（例えば、特許文献１〜４）。
【０００３】
【特許文献１】
特開２００２−３７２９２８号公報
【特許文献２】
特開２００１−９２３８９号公報
【特許文献３】
特開平１０−２０２７０号公報
【特許文献４】
特開平５−１８８８７３号公報
【０００４】
【発明が解決しようとする課題】
複数の表示パネルを配列して接合する場合、接合部近傍に画素が存在しない継目が生ずる。継目の領域は、表示パネルの画素ピッチよりも広い間隔において画素が形成されていない非表示領域である。このため、表示パネル間の継目は、接合された大画面内において、例えば直線状の黒い帯として観察者に認識されてしまう。このため、継目が存在する画像は、その品質が低くなってしまう。
【０００５】
継目を目立なくする方法としては、継目の幅を画素ピッチ以内となるように表示パネルどうしを光学接着剤により精密に接合することが考えられる。このように構成すれば、観察者は、例えば画素間の非表示領域と継目とを識別することがなくなる。しかしながら、高精細化するほど画素ピッチは小さくなる。これに対して、継目領域では、表示パネルを接合するためにある程度の幅が必要となる。このため、継目の幅と画素ピッチとを略一致させる場合、画素ピッチを小さくする高精細化は困難である。
【０００６】
また、表示パネルでは、矩形状の複数の画素が略直交する格子状に配列されている。従って、第１の方向の画素ピッチと、第１の方向に略直交する第２の方向の画素ピッチとの２つの画素ピッチがある。このため、複数の表示パネルを１次元方向（第１の方向）へ配列する場合は、第１の方向の画素ピッチをある程度以上小さくすることは困難である。
【０００７】
さらに、例えば４枚の表示パネルを、２枚ずつ略直交する２次元方向へ配列する場合は、直交する直線状に継目が形成される。このため、第１の方向の画素ピッチと、第２の方向の画素ピッチとの両方の画素ピッチをある程度以上小さくすることは困難である。画素ピッチを小さくできないため、画素の開口部の寸法を大きくできない。このため、複数の表示パネルを配列する画像表示装置の場合、継目を目立なくしようとすると、高精細化が困難で、開口率の低下を生じるため問題である。特に、表示パネルを２次元方向に配列する画像表示装置の場合に、これらの問題は顕著となる。
【０００８】
本発明は、上述の問題点を解決するためになされたものであり、複数の表示パネルを配列して構成する画像表示装置において、継目が目立たずに、高精細で高い開口率の画像表示装置を提供することを目的とする。
【０００９】
【課題を解決するための手段】
上記課題を解決し、目的を達成するために、本発明によれば、所定の間隔で複数の画素がそれぞれ形成されている、少なくとも第１の表示パネルと第２の表示パネルとを配列して画像を表示する画像表示装置において、前記第１の表示パネルと前記第２の表示パネルとを接合するための接合パネルを有し、前記接合パネルは、前記第１の表示パネルと前記第２の表示パネルとの継目領域に、各行または各列毎に所定数の画素が形成されていることを特徴とする画像表示装置を提供できる。
【００１０】
接合パネルで、第１の表示パネルと第２の表示パネルとを接合する。そして、接合パネルの第１の表示パネルと第２の表示パネルとの継目領域に所定数の画素を形成する。本来画素が存在しない非表示領域（継目領域）からも光を射出できる。観察者は、本画像表示装置を見る場合、継目領域からの画素を観察することになる。このため、第１の表示パネルと第２の表示パネルとの継目を目立なくすることができる。また、画素ピッチと継目の幅とを略一致させる必要がない。このため、各画素の寸法を大きくすることで高い開口率及び高精細化を実現できる。この結果、容易に画面を大型化することができる。
【００１１】
また、本発明の好ましい態様によれば、前記接合パネルに形成される画素は、前記第１の表示パネルの前記画素と前記第２の表示パネルの前記画素とに対して、前記所定の間隔の位置に形成されることが望ましい。これにより、接合パネル上の画素ピッチを隔てた位置に画素を形成できる。
【００１２】
また、本発明の好ましい態様によれば、前記接合パネルは、前記継目領域を挟む位置に配された第１および第２の接合領域を有し、前記第１の接合領域には前記第１の表示パネルの下表面が接合され、前記第２の接合領域には、前記第２の表示パネルの下表面が接合されることが望ましい。これにより、接合パネルに第１および第２の表示パネルを簡単に接合することが可能となる。
【００１３】
また、本発明の好ましい態様によれば、前記接合パネルはその平面が長方形状を呈し、当該長方形状の接合パネルには、前記第１の表示パネルと前記第２の表示パネルとが１次元方向に接合されることが望ましい。これにより、接合パネルの製造を容易とすることができ、また、第１の表示パネルと第２の表示パネルとの接合パネルへの接合が容易となる。この結果、画像表示装置の製造が容易となり歩留まりを向上させることができる。
【００１４】
また、本発明の好ましい態様によれば、少なくとも４枚の表示パネルを有し、前記接合パネルは、その平面が長方形状を呈する少なくとも第１および第２の接合パネルからなり、前記少なくとも４枚の表示パネルは、前記第１および第２の接合パネルに２次元方向に上下方向から接合されることが望ましい。これにより、表示パネルを２次元方向へ接合する場合でも、継目を目立たないようにし、かつ高い開口率と高精細化を達成できる。この結果、容易に画面を大型化することができる。
【００１５】
また、本発明の好ましい態様によれば、少なくとも４枚の表示パネルを有し、前記接合パネルは、その平面が十字形状を呈し、前記少なくとも４枚の表示パネルは、当該十字形状の接合パネルに２次元方向に接合されることが望ましい。これにより、表示パネルを２次元方向へ接合する場合でも、継目を目立たないようにし、かつ高い開口率と高精細化を達成できる。この結果、容易に画面を大型化することができる。さらに、１枚の接合パネルで表示パネルを２次元方向に配列させることができ、また、２次元方向に接合する場合の位置合わせが容易となる。
【００１６】
また、本発明の好ましい態様によれば、前記第１の表示パネルと前記第２の表示パネルとは、それぞれ有機または無機のエレクトロルミネッセンスパネルであることが望ましい。これにより、複数の有機または無機ＥＬ表示パネルを配列した場合、継目を目立なくすることができる。また、高開口率で、高精細な画像表示装置を得ることができる。
【００１７】
また、本発明の好ましい態様によれば、前記第１の表示パネルと前記第２の表示パネルとは、それぞれ液晶表示パネルであり、前記液晶表示パネルへ照明光を供給する光源を有することが望ましい。これにより、複数の液晶表示パネルを配列した場合、継目を目立なくすることができる。また、高開口率で、高精細な画像表示装置を得ることができる。
【００１８】
【発明の実施の形態】
以下、添付図面を参照して、本発明にかかる画像表示装置の好適な実施の形態を説明する。本明細書において、ＲＧＢのような複数の画素を単位として画像が表示される場合には、複数の画素を「画素」と称し、また、単一の画素を単位として画像が表示される場合にもその単一の画素を「画素」と称する。
（実施の形態１）
図１は、実施の形態１にかかる画像表示装置１００の概略構成を示す平面図である。図１に示すように、少なくとも第１の表示パネルと第２の表示パネルとに対応する３枚の平面状の表示パネル１０１ａ、１０１ｂ、１０１ｃが、横（列）方向（図のｘ方向：１次元方向）に配列されている。表示パネル１０１ａと表示パネル１０１ｂとは、その平面が長方形状（短冊形状）を呈する接合パネル１１０ａで接合されている。同様に、表示パネル１０１ｂと表示パネル１０１ｃとは、その平面が長方形状を呈する接合パネル１１０ｂで接合されている。接合パネル１０２は、画素が形成される継目領域１１１Ｘと、継目領域１１１Ｘを挟む位置に形成された接合領域１１１ａ、１１１ｂとを有している。同様に、接合パネル１１０ｂは、画素が形成される継目領域１１２Ｘと、継目領域１１２Ｘを挟む位置に形成された接合領域１１２ａ、１１２ｂとを有している。
【００１９】
表示パネル１０１ａの右端側の下表面は、接合パネル１１０ａの接合領域１１１ａに接合されている。また、表示パネル１０１ｂの左端側の下表面は、接合パネル１１０ａの接合領域１１１ｂに接合されている。同様に、表示パネル１０１ｂの右端側の下表面は、接合パネル１１０ｂの接合領域１１２ａに接合されている。また、表示パネル１０１ｃの左端側の下表面は、接合パネル１１０ｂの接合領域１１２ｂに接合されている。
【００２０】
図２は、画像表示装置１００を観察する方向から見た画素の構成を示しており、同図では、表示パネル１０１ａ、１０１ｂと接合パネル１１０ａの画素の構成を示している。表示パネル１０１ｂ、１０１ｃと接合パネル１１０ｂの画素の構成は、表示パネル１０１ａ、１０１ｂと接合パネル１１０ａの画素の構成と同様であるのでその図示および説明は省略する。図２に示すように、表示パネル１０１ａ、１０１ｂには、画素Ｐｘが所定の間隔である画素ピッチＰで略直交する格子状に形成されている。また、接合パネル１１０ａの継目領域１１１Ｘには、各行毎に、表示パネル１０１ａ、１０１ｂの画素Ｐｘと画素ピッチＰの間隔で画素Ｐｘが１画素分形成されている。
【００２１】
図３は、図１の表示パネル１０１ａと表示パネル１０１ｂとの接合部近傍の断面構成を示す図である。表示パネル１０１ｂと表示パネル１０１ｃの接合構成は、表示パネル１０１ａと表示パネル１０１ｂと同様であるのでその図示および説明は省略する。表示パネル１０１ａ、１０１ｂ、および接合パネル１１０ａは、有機のＥＬ（エレクトロルミネッセンス）パネルで構成されている。まず、表示パネル１０１ａ、１０１ｂの構造について説明する。表示パネル１０１ａ、１０１ｂは、ＴＦＴ基板２０１、ＥＬ発光層２０２、および上補助プレート２０３で構成されている。表示パネル１０１ａ、１０１ｂには、画素Ｐｘが画素ピッチＰで略直交する格子状に形成されている。ＴＦＴ基板２０１上には、ＥＬ層、画素電極（下電極）、対向電極（上電極）、および保護層等からなるＥＬ発光層２０２が形成されている。図３においては、ＥＬ発光層２０２の画素電極と対向電極との交点箇所を画素Ｐｘとして図示している。この画素Ｐｘは、画像信号に応じて蛍光を発する。上述の保護層は、外部の水分や酸素による画素Ｐｘの劣化を防止するためのものである。保護層は、酸化珪素、窒化珪素、または有機膜や無機膜の多層膜で構成することができる。ＥＬ発光層２０２上には、上補助プレート２０３が光学接着剤で接着されている。上補助プレート２０３は、ガラスやプラスチック等の基板で構成されている。上補助プレート２０３の下表面にはＶ溝２０３ａが形成されている。このＶ溝２０３ａは、その斜面を反射面として画素Ｐｘから発光する光の放射角を小さくする機能を有している。窒素等の不活性ガス雰囲気中で上補助プレート２０３をＥＬ発光層２０２に光学接着剤で貼り合わせ、Ｖ溝２０３ａ内を屈折率１の不活性ガスで充填して、Ｖ溝２０３ａの斜面での反射が全反射となるようにしている。
【００２２】
つぎに接合パネル１１０ａの構造を説明する。接合パネル１１０ａは、表示パネル１０１ａ、１０１ｂと同様に、ＴＦＴ基板２０１、ＥＬ発光層２０２、および上補助プレート２０３で構成されている。そのＴＦＴ基板２０１には、継目領域１０２に、表示パネル１０１ａ、１０１ｂの画素Ｐｘとの間隔が画素ピッチＰとなる位置に、１つの画素Ｐｘが形成されている。上補助プレート２０３の上表面には、上述の接合領域１１１ａ、１１１ｂが存在する。接合パネル１１０ａの上補助プレート２０３の接合領域１１１ａ、１１１ｂに、表示パネル１０１ａ、１０１ｂのＴＦＴ基板２０１の下表面を光学接着剤で接着して接合する。
【００２３】
表示パネル１０１ａ、１０１ｂ、および接合パネル１１０ａの下側には、表示パネル１０１ａ、１０１ｂ、および接合パネル１１０ａを保持するための下補助プレート２０４が設けられている。下補助プレート２０４は、ガラスやプラスチック等の基板で構成されている。下補助プレート２０４には、接合パネル１１０ａと略同一形状の嵌合溝２０４ａが形成されている。下補助プレート２０４と上補助プレート２０３とで、表示パネル１０１ａ、１０１ｂ、および接合パネル１１１ａを保持し、パネル全体の強度を強化している。
【００２４】
上記構成の画像表示装置１００によれば、表示パネル１０１ａと表示パネル１０１ｂとの継目である接合パネル１１０ａの継目領域１１１Ｘに、画素Ｐｘを形成しているので、本来画素が存在しない非表示領域からも光を射出できる。この結果、表示パネル１０１ａと表示パネル１０１ｂとの継目を目立なくすることができる。同様に、表示パネル１０１ｂと表示パネル１０１ｃとを接合する場合も継目を目立たなくできる。また、画素ピッチＰと継目近傍の非表示領域の幅とを略一致させる必要がないため、各画素Ｐｘの寸法を大きくすることで高い開口率および高精細化が可能となる。このため、容易に画面を大型化することができる。
【００２５】
また、接合パネル１１０ａ、１１０ｂの形状を長方形状とすることにより、接合パネル１１０ａ、１１０ｂの製造が容易となる。また、平面状の表示パネル１０１ａ、１０１ｂ、１０１ｃを横方向に配列することにより、表示パネル１０１ａ、１０１ｂ、１０１ｃの接合が容易となる。この結果、画像表示装置１００の製造を簡易化することができる。
【００２６】
なお、本実施の形態においては、有機ＥＬパネルの代わりに無機ＥＬパネルを用いても同様の効果を得ることができる。また、表示パネル１０１ａと表示パネル１０１ｂとの継目に透明の部材を設けることにしても良い。また、本実施の形態では、下補助プレート２０４を、表示パネル１０１ａ、１０１ｂ、および接合パネル１１０ａに共通させて１つ設けることとしたが、表示パネル１０１ａ、１０１ｂ、および接合パネル１１０ａ毎にそれぞれ下補助プレート２０４を設けることにしても良い。さらに、本実施の形態では、画素Ｐｘの光をＴＦＴ基板２０１と反対側に射出するトップエミッション方式を採用したが、画素Ｐｘの光をＴＦＴ基板２０１側に射出するボトムエミッション方式を採用することにしても良い。
【００２７】
（実施の形態１の変形例１）
図４は、実施の形態１の変形例１にかかる画像表示装置の断面構成（ｘｚ面内）を示す図である。図４において、図３と同等機能を有する部位には同一符号を付してある。上記した実施の形態１では、接合パネル１１０ａの継目領域１１１Ｘに１画素分の画素を形成することした。これに対して、本変形例１では、接合パネル１１０ａの継目領域１１１Ｘに複数の画素を形成する。図４に示す例では、画素Ｐｘが２画素分形成されている。このように、接合パネル１１０ａの継目領域１０２Ｘに複数の画素を形成することにより、接合パネル１１０ａの寸法に余裕ができるため、接合パネル１１０ａの製造が容易となる。
【００２８】
（実施の形態１の変形例２）
図５は、実施の形態１の変形例２にかかる画像表示装置３００の概略構成を示す平面図である。上記した実施の形態１では、その平面が長方形状を呈する接合パネル１１０ａ、１１０ｂに、３枚の平面状の表示パネル１０１ａ、１０１ｂ、１０１ｃを横（列）方向（図のｘ方向：１次元方向）に接合する構成とした。これに対して、本変形例２では、少なくとも第１および第２の表示パネルに対応する４枚の平面状の表示パネル３０１ａ、３０１ｂ、３０１ｃ、３０１ｄを、その平面が長方形状を呈する接合パネル３０２，３０３に接合して、横（列）方向と縦（行）方向（図のｘ、ｙ方向：２次元方向）に２枚ずつ配列する。図６は、図５の画像表示装置３００の接合構成を説明するための図であり、同図（Ａ）は、図５のＡ−Ａ断面図、同図（Ｂ）は図５のＢ−Ｂ断面図を示している。図５および図６に示すように、表示パネル３０１ａ、３０１ｂと、表示パネル３０１ｃ、３０１ｄとを横方向に、接合パネル３０２で下方向から接合する。また、表示パネル３０１ａ、３０１ｃと表示パネル３０１ｂ、３０１ｄとを縦方向に、接合パネル３０２で上方向から接合する。
【００２９】
このように、４枚の平面状の表示パネル３０１ａ、３０１ｂ、３０１ｃ、３０１ｄを２次元方向に、その平面が長方形状を呈する接合パネル３０２、３０３で上下方向から接合することにより、簡単な形状の接合パネル３０２、３０３で表示パネル３０１ａ、３０１ｂ、３０１ｃ、３０１ｄを２次元方向に配列させることが可能となる。これにより、表示パネルを２次元方向へ接合する場合でも、継目を目立たないようにし、かつ高い開口率と高精細化を達成できる。この結果、容易に画面を大型化することができる。
【００３０】
（実施の形態１の変形例３）
図７は、実施の形態１の変形例３にかかる画像表示装置４００の概略構成を示す平面図である。上記変形例２では、２枚の接合パネル３０２、３０３を使用して、４枚の平面状の表示パネル３０１ａ、３０１ｂ、３０１ｃ、３０１ｄを２次元方向に配列させる構成とした。これに対して、本変形例３では、１枚の接合パネル４０２を使用して、４枚の平面状の表示パネル４０１ａ、４０１ｂ、４０１ｃ、４０１ｄを横（列）方向と縦（行）方向（図のｘ、ｙ方向：２次元方向）に配列させる構成とした。
【００３１】
図７に示すように、表示パネル４０１ａ、４０１ｂ、４０１ｃ、４０１ｄは、その平面が十字形状を呈する接合パネル１０２で接合されている。接合パネル４０２は、画素が形成される継目領域４０２Ｘと、継目領域４０２Ｘを挟む位置に形成された接合領域４０２ａ、４０２ｂ、４０２ｃ、４０２ｄとを有している。表示パネル４０１ａの右端側および下端側の下表面は、接合パネル４０２の接合領域４０２ａに接合されている。また、表示パネル４０１ｂの左端側および下端側の下表面は、接合パネル４０２の接合領域４０２ｂに接合されている。また、表示パネル４０１ｃの右端側および上端側の下表面は、接合パネル４０２の接合領域４０２ｃに接合されている。さらに、表示パネル４０１ｄの左端側および上端側の下表面は、接合パネル４０２の接合領域４０２ｄに接合されている。
【００３２】
このように、その平面が十字形状を呈する接合パネル４０２を使用して、４枚の平面状の表示パネル４０１ａ、４０１ｂ、４０１ｃ、４０１ｄを横（列）方向と縦（行）方向（図のｘ、ｙ方向：２次元方向）に配列させることにより、表示パネル４０１ａ、４０１ｂ、４０１ｃ、４０１ｄを２次元方向に配列させることが可能となる。これにより、表示パネルを２次元方向へ接合する場合でも、継目を目立たないようにし、かつ高い開口率と高精細化を達成できる。この結果、容易に画面を大型化することができる。また、１枚の接合パネル４０２で表示パネル４０１ａ、４０１ｂ、４０１ｃ、４０１ｄを２次元方向に配列させることができ、その際、位置合わせが容易となる。
【００３３】
（実施の形態２）
図８は、本発明の実施の形態２にかかる画像表示装置５００の断面構成（ｘｚ面内）を示す図である。上記実施の形態１では、有機ＥＬパネルを用いて説明している。これに対して、実施の形態２にかかる画像表示装置５００は、液晶表示パネルを用いている点が異なる。実施の形態２においても、上記実施の形態１と同様に表示パネル５０１ａと表示パネル５０１ｂとを、接合パネル５１０ａで接合する。表示パネル５０１ａ、５０１ｂ、および接合パネル５１０ａは、液晶パネルで構成されている。
【００３４】
まず、表示パネル５０１ａ、５０１ｂの構造について説明する。表示パネル５５０１ａ、５０１ｂは、下プレート６０１、液晶層６０２、上プレート６０３、およびカラーフィルタ６０４で構成されている。表示パネル５０１ａ、５０１ｂには、画素Ｐｘが画素ピッチＰで略直交する格子状に形成されている。下プレート６０１には、ＴＦＴ、画素電極（ＩＴＯ）、および液晶を配向させるための配向膜等が形成されている。上プレート６０３には、対向電極が形成されている。下プレート６０１と上プレート６０３との間には液晶層６０２が封入されている。図８では、液晶層６０２の画素電極と対向電極の交点箇所を画素Ｐｘとして図示している。この画素Ｐｘは、後述するバックライト６２０からの光を画像信号に応じて変調して射出する。さらに、上プレート６０３の射出側には、Ｒ、Ｇ、Ｂのカラーフィルタ６０４が形成されている。
【００３５】
つぎに接合パネル５１０ａの構造を説明する。接合パネル５１０ａは、表示パネル５０１ａ、５０１ｂと同様に、下プレート６０１、液晶層６０２、上プレート６０３、およびカラーフィルタ６０４で構成されている。接合パネル５１０ａの継目領域５１１Ｘには、表示パネル５０１ａ、５０１ｂの画素Ｐｘとの間隔が画素ピッチＰとなる位置に、１つの画素Ｐｘが形成されている。接合パネル５１０ａのカラーフィルタ６０４の上表面には、接合領域５１１ａ、５１１ｂが存在する。接合パネル５１０ａのカラーフィルタ６０４の接合領域５１１ａ、５１１ｂに、表示パネル５０１ａ、５０１ｂの下プレート６０１の下表面を光学接着剤で接着して接合する。
【００３６】
表示パネル５０１ａ、５０１ｂ、および接合パネル５１０ａの入射側には、表示パネル５０１ａ、５０１ｂ、および接合パネル５１０ａを保持するための下補助プレート６０５が設けられている。下補助プレート６０５には、下偏光フィルム６１０が固着されている。下補助プレート６０５は、ガラスやプラスチック等の基板で構成されている。下補助プレート６０５には、接合パネル５１０ａと略同一形状の嵌合溝６０５ａが形成されている。表示パネル５０１ａ、５０１ｂのカラーフィルタ６０４の射出側には、上偏光フィルム６１１が固着された上補助プレート６１２が設けられている。上補助プレート６１２は、ガラスやプラスチック等の基板で構成されている。下補助プレート６０５と上補助プレート６１２とで、表示パネル５０１ａ、５０１ｂ、および接合パネル５１０ａを保持し、パネル全体の強度を強化している。また、下偏光フィルム６１０と上偏光フィルム６１１とは、いわゆるクロスニコルの状態になるように配置されている。
【００３７】
バックライト６２０は、液晶層６０２に光を照射する。バックライト６２０は、光源であるランプ６２１、ランプ６２１の光を射出側に反射させる反射板６２２、ランプ６２１の光を拡散させる拡散板６２３、およびランプ６２１の光を平行化させる山形のレンズシート６２４で構成されている。かかる構成により、ランプ６２１の光は、拡散板６２３で拡散された後、レンズシート６２４で平行光とされ、接合パネル５１０ａの液晶層６０２および表示パネル５０１ａ、５０１ｂの液晶層６０２に入射する。
【００３８】
上記構成の画像表示装置５００によれば、表示パネル５０１ａと表示パネル５０１ｂとの継目である接合パネル５１０ａの継目領域５１１Ｘに、画素Ｐｘを形成しているので、本来画素が存在しない非表示領域からも光を射出できる。この結果、表示パネル５０１ａと表示パネル５０１ｂとの継目を目立なくすることができる。また、画素ピッチＰと継目近傍の非表示領域の幅とを略一致させる必要がないため、各画素Ｐｘの寸法を大きくすることで高い開口率および高精細化が可能となる。本実施の形態では、下補助プレート６０５を、表示パネル５０１ａ、５０１ｂ、および接合パネル５１０ａに共通させて１つ設けることとしたが、表示パネル５０１ａ、５０１ｂ、および接合パネル５１０ａ毎にそれぞれ下補助プレート６０５を設けることにしても良い。さらに、本実施の形態では、表示パネルの直下にランプを配置する直下式を採用したが、ランプと導光板の組み合わせからなるエッジ・ライト式を使用することにしても良い。また、実施の形態２においても、上述した実施の形態１の変形例１〜３を適用することにしても良い。また、上記実施の形態１、２では、有機または無機のＥＬ表示パネル、および液晶表示パネルの例を用いて説明したが、本発明はこれに限られること無く、複数の平面表示パネルを配列して大型の画面を形成する、いわゆるタイリング型のすべての画像表示装置に対して適用することができる。
【図面の簡単な説明】
【図１】本発明の実施の形態１にかかる画像表示装置の概略平面図。
【図２】実施の形態１の画像表示装置を観察方向から見た画素の図。
【図３】実施の形態１の概略断面図。
【図４】実施の形態１の変形例１の概略断面図。
【図５】実施の形態１の変形例２の平面図。
【図６】実施の形態１の変形例２の概略断面図。
【図７】実施の形態１の変形例３の平面図。
【図８】本発明の実施の形態２にかかる画像表示装置の概略断面図。
【符号の説明】
１００  画像表示装置、１０１ａ、１０１ｂ、１０１ｃ  表示パネル、１１０ａ、１１０ｂ  接合パネル、１１１Ｘ、１１２Ｘ  継目領域、１１１ａ、１１１ｂ、１１２ａ、１１２ｂ  接合領域、２０１  ＴＦＴ基板、２０２  ＥＬ発光層、２０３  上補助プレート、２０３ａ  Ｖ溝、２０４  下補助プレート、２０４ａ嵌合溝、３００  画像表示装置、３０１ａ、３０１ｂ、３０１ｃ、３０１ｄ  表示パネル、３０２、３０３  接合パネル、４００  画像表示装置、４０１ａ、４０１ｂ、４０１ｃ、４０１ｄ  表示パネル、４０２  接合パネル、４０２Ｘ  継目領域、４０２ａ、４０２ｂ、４０２ｃ、４０２ｄ  接合領域、５００  画像表示装置、５０１ａ、５０１ｂ  表示パネル、５１０ａ  接合パネル、５１１Ｘ継目領域、５１１ａ、５１１ｂ  接合領域、６０１  下プレート、６０２  液晶層、６０３  上プレート、６０４  カラーフィルタ、６０５  下補助プレート、６０５ａ  嵌合溝、６１０  下偏光フィルム、６１１  上偏光フィルム、６１２  上補助プレート、６２０  バックライト、６２１  ランプ、６２２  反射板、６２３  拡散板、６２４  レンズシート、Ｐｘ  画素
【図１】
2005031247.tif 000003
【図２】
2005031247.tif 000004
【図３】
2005031247.tif 000005
【図４】
2005031247.tif 000006
【図５】
2005031247.tif 000007
【図６】
2005031247.tif 000008
【図７】
2005031247.tif 000009
【図８】
2005031247.tif 000010